(57)【要約】【課題】  重量物を収容した状態で多数段積み重ねても下段の段ボール箱の胴部に不規則な胴膨れが発生することがないラップラウンド型段ボール箱を提供する。【解決手段】  一対の側面板と第１平面板の間の折り曲げ部となる一対の仮想折目線のそれぞれに沿って、広幅の六角形状中央押罫部と、該六角形状中央押罫部から前記仮想折目線に沿って外方に延出する狭幅帯状突出部とが連続押罫線によって一体に形成されている多角形状の押罫部が、前記仮想折目線に沿って一定間隔で複数形成されており、該多角形状の押罫部が形成されていない前記仮想折目線上には直線状の押罫部が形成されていることを特徴とするラップラウンド型段ボール箱。【選択図】  図１
2014104999.tif 000002
【特許請求の範囲】
【請求項１】
一対の側面板と第１平面板の間の折り曲げ部となる一対の仮想折目線のそれぞれに沿って、広幅の六角形状中央押罫部と、該六角形状中央押罫部から前記仮想折目線に沿って外方に延出する狭幅帯状突出部とが連続押罫線によって一体に形成されている多角形状の押罫部が、前記仮想折目線に沿って一定間隔で複数形成されており、該多角形状の押罫部が形成されていない前記仮想折目線上には直線状の押罫部が形成されていることを特徴とするラップラウンド型段ボール箱。
【請求項２】
前記仮想折目線に沿って一定間隔で複数形成されている多角形状の押罫部と前記直線状の押罫部からなる押罫部と同一構成の押罫部が、第２平面板と側面板との間の折り曲げ部となる仮想折目線に沿って追加形成されていることを特徴とする請求項１記載のラップラウンド型段ボール箱。
【請求項３】
前記多角形状の押罫の狭幅帯状突出部が先鋭頭部を有することを特徴とする請求項１又は２に記載のラップラウンド型段ボール箱。
【請求項４】
前記仮想折目線に沿って一定間隔で複数形成されている多角形状の押罫部が、段ボール箱に収容される容器の幅と等しいピッチで形成されていることを特徴とする請求項１〜３のいずれか１項に記載のラップラウンド型段ボール箱。
【請求項５】
前記多角形状の押罫部における前記広幅の六角形状中央押罫部の胴部の最大幅が、前記狭幅帯状突出部の胴部の最大幅の２〜５倍であることを特徴とする請求項１〜４のいずれか１項に記載のラップラウンド型段ボール箱。
【発明の詳細な説明】
【技術分野】
【０００１】
本発明は、積重ね荷重が加わった際に胴膨れを発生することのないラップラウンド型段ボール箱に関する。
【背景技術】
【０００２】
飲料ペットボトルや飲料缶等の様々な容器入り商品を包装し、輸送、保管するために、相対する天板と底板、相対する一対の側板が折り曲げ用罫線を介して連設されている段ボールシートを収容する飲料容器群等を巻き込むように各罫線より順次折り曲げ、当接する天板と側板を糊代部で接合して周壁を形成し、両側板から延出する内フラップに天板及び底板から延出する外フラップを折り重ねて接合して両側面を閉鎖するラップラウンド型段ボール箱が使用されている。
【０００３】
このような段ボール箱の場合、容器入り商品を収容して封緘した状態で多段に積み重ねて保管していると、段積み下部の段ボール箱が積載荷重で押し潰されて、天板、底板、両側板の面に不規則な胴膨れが発生して商品価値が損なわれたり、積み重ねた段ボール箱の崩落が発生したりする場合がある。
【０００４】
このような不規則な変形防止対策として、折目線が形成されている段ボール製のブランクの折目線に従って折り曲げることにより、互いに対向する一対の長さ面と、互いに対向する一対の幅面と、互いに対向する天面及び底面を有する直方体の箱に形成される包装箱であって、各長さ面の上端縁の折目線は、該折目線の両側に平行に２本の折目線が形成された部分である複合折目線部を所定間隔で複数備え、各長さ面の下端縁の折目線の両側に平行に２本の折目線が形成された部分である複合折目線部を所定間隔で複数備え、各長さ面の上端縁の折目線の複合折目線部と、該長さ面の下端縁の折目線の複合折目線部とが、該長さ面の長さ方向に沿って交互に存在するラップアラウンドケース（特許文献１）や、ラップラウンドケースの一方の平面板又は双方の平面板と両立面板の間の各陵部に傾斜した（折れ曲がった）２本の罫線を繰り返して配設し、これらの罫線に沿って二枚の板材を折り曲げるようにして形成されており、積上荷重が作用したとき、傾斜した２本の罫線の折曲角が変化して高さ方向の変形が吸収され、胴膨れが抑制されるラップラウンドケース（特許文献２）が提案されている。
【０００５】
また、平面板と立面板の陵部をなす境界部分に、段ボールの裏側から、折り曲げの中央となる一本の押罫線と、これに対してずれた平行な二本の押罫線とを交互に入れると共に、これらに挟まれた半切の切目を入れ、段ボールの表側から、裏側の平行な二本の押罫線に沿って平行な二本の連続押罫線を入れ、各押罫線に沿って立面板と平面板とを折り曲げて形成される段ボール箱（特許文献３）、周壁をなす側板の底部側又は頂部側の陵部に該稜部となる稜線を基底として対称形の三角波状の押罫による座屈誘導線を設けたもの（特許文献４）等も提案されている。
【先行技術文献】
【特許文献】
【０００６】
【特許文献１】特開２０１２−３０８３４号公報
【特許文献２】特開２００４−５９００１号公報
【特許文献３】特開２０１２−３５８８３号公報
【特許文献４】特開２００５−６７６９８号公報
【発明の概要】
【発明が解決しようとする課題】
【０００７】
特許文献１〜４の段ボール箱は、いずれも積上荷重により立面板に生起する胴膨れの抑制に一定の効果を有するものであるが、段ボール箱の稜部に形成される押罫の本数が多すぎるか形状が複雑すぎるものであるので、よりシンプルな形状の押罫線を有するだけで胴膨れが抑制されている段ボール箱が望まれている。
本発明は、従来の段ボール箱で採用されていない特定形状の押罫線を、ラップラウンド型段ボールの立面板と平面板を区分する稜部に沿って段目に直交する方向に一定間隔で形成することによって、製造が容易で積上荷重による胴膨れの発生のないラップラウンド型の段ボール箱を提供することを目的とするものである。
【課題を解決するための手段】
【０００８】
本発明者は、ラップラウンド型段ボール箱における一対の側面板と第１平面板の間の折り曲げ部となる一対の仮想折目線のそれぞれに沿って、特定の多角形状の押罫部を連続する押罫線によって形成することにより、段ボール箱に掛かる積み重ね荷重（段積荷重）を２段階に変形吸収することにより胴膨れの発生を効率よく、確実に防止できることを見い出し以下の各発明をなすに至ったものである。
【０００９】
（１）一対の側面板（１，３）と第１平面板（２）の間の折り曲げ部となる一対の仮想折目線（ｖ）のそれぞれに沿って、広幅の六角形状中央押罫部（ａ）と、該六角形状中央押罫部（ａ）から前記仮想折目線（ｖ）に沿って外方に延出する狭幅帯状突出部（ｂ）とが連続押罫線によって一体に形成されている多角形状の押罫部（Ａ）が、前記仮想折目線（ｖ）に沿って一定間隔で複数形成されており、該多角形状の押罫部（Ａ）が形成されていない前記仮想折目線（ｖ）上には直線状の押罫部（Ｂ）が形成されていることを特徴とするラップラウンド型段ボール箱。
【００１０】
（２）前記仮想折目線（ｖ）に沿って一定間隔で複数形成されている多角形状の押罫部（Ａ）と前記直線状の押罫部（Ｂ）からなる押罫部（Ｒ１、Ｒ２）と同一構成の押罫部（Ｒ３）が、第２平面板（４）と側面板（３）との間の折り曲げ稜部となる仮想折目線（ｖ）に沿って追加形成されていることを特徴とする（１）項に記載のラップラウンド型段ボール箱。
【００１１】
（３）前記多角形状の押罫部（Ａ）の狭幅帯状突出部（ｂ）が先鋭頭部（ｂ’）を有することを特徴とする（１）項又は（２）項に記載のラップラウンド型段ボール箱。
【００１２】
（４）前記仮想折目線（ｖ）に沿って一定間隔で複数形成されている多角形状の押罫部（Ａ）が、段ボール箱に収容される容器（Ｄ）の幅と等しいピッチ（Ｐ）で形成されていることを特徴とする（１）項〜（３）項のいずれか１項に記載のラップラウンド型段ボール箱。
【００１３】
（５）前記多角形状の押罫部（Ａ）における前記広幅の六角形状中央押罫部（ａ）の胴部の最大幅（ｗ１）が、前記狭幅帯状突出部（ｂ）の胴部の最大幅（ｗ２）の２〜５倍であることを特徴とする（１）項〜（４）項のいずれか１項に記載のラップラウンド型段ボール箱。
【発明の効果】
【００１４】
本発明のラップラウンド型段ボールは、ボトル入り飲料や缶入り飲料等の商品を収容した状態で運搬、保管、陳列のために多段に積み重ねた際に、下段側の段ボール箱の側面板に胴膨れが発生するような段積荷重がかかった場合であっても、該下段側の段ボール箱の前記一対の側面板と第１平面板の間の折り曲げ部となる一対の仮想折目線のそれぞれに沿って形成されている多角形状の押罫部に優先的に潰れが発生して側面板に胴膨れが発生することを防止する。
【００１５】
また、大きな段積荷重がかかった状態で潰れが発生する前記多角形状の押罫部は、側面板と第１平面板の間の折り曲げ部となる仮想折目線から側面板上方に向かって狭幅帯状突出部と広幅の六角形状中央押罫部の順に２段の階段状に形成されているので、段ボール箱の天面に掛かる段積荷重によって該押罫部に発生する潰れによる側面板の変形量の吸収が段階的となり、潰れが急激に発生して収容商品にダメージを与えることのない良好なクッション性を備えている。
【００１６】
また、多角形状の押罫部に潰れが発生しても、多角形状の押罫部間の直線状の押罫部でより以上の潰れの進行は抑制されるので収容商品に直接潰れの衝撃が加わることが防止される。このような多角形状の押罫部間の直線状の押罫部による潰れの進行抑制効果は、多角形状の押罫部を段ボール箱に収容される容器幅と等しいピッチで形成することによってさらに向上する。
【図面の簡単な説明】
【００１７】
【図１】本発明のラップラウンド型段ボール箱のブランクシートを示す図である。
【図２】図１のブランクシートに形成されている押罫部の形状及び配置状態を示す部分拡大図である。
【図３】図１のブランクシートを組み立てた段ボール箱の外観を示す図（ア）と容器を収容した段ボール箱内部の状態を示す模式図（イ）である。
【図４】通常の押罫部を形成した段ボール箱に発生する胴膨れ状態を示す図（ア）と、段積荷重を吸収した本発明の段ボール箱の状態を示す図（イ）である。
【発明を実施するための形態】
【００１８】
以下、本発明のラップラウンド型段ボール箱の具体的な構造とそれによって奏する作用効果について添付図面の図１〜図４を参照して説明する。
【実施例】
【００１９】
図１は、本発明のラップラウンド型段ボール箱のブランクシートＢを示す図である。ブランクシートＢは、糊代部（継代部）５−側面板１−底面側となる第１平面板２−側面板３−天面側となる第２平面板４が折目線Ｌを介して順次連設されている。
【００２０】
また、底面側となる第１平面板２の両端部には折目線Ｌを介して外フラップ２−５，２−６が連設され、天面側となる第２平面板４の両端部には折目線Ｌを介して外フラップ４−５，４−６が連設されていて、そのフラップ４−５，４−６には手穴Ｈが形成されており、側面板１の両端部には折目線Ｌを介して内フラップ１−５，１−６が連設され、側面板３には折目線Ｌを介して外フラップ３−５，３−６が連設されていて、側面板１と側面板３の面内には開封用の切り裂き帯Ｙと切り裂き口Ｘが形成されている。
【００２１】
底面側となる第１平面板２と側面板１の間の折り曲げ部となる仮想折目線ｖ（図２参照）には、図２に示される形状の多角形状の押罫部Ａと直線状の押罫部Ｂから構成される押罫部が形成されており、底面側となる第１平面板２と側面板３の間の折り曲げ部となる仮想折目線ｖ（図２参照）にも、図２に示される形状の多角形状の押罫部Ａと直線状の押罫部Ｂから構成される押罫部が形成されている。図１には、天面側となる第２平面板４と側面板３の間の折り曲げ部となる仮想折目線ｖにも、図２に示される形状の多角形状の押罫部Ａと直線状の押罫部Ｂから構成される押罫部が形成されているが、本発明のラップラウンド型段ボール箱においては必須ではない。しかし、段積荷重をより確実に吸収するためには、天面側となる第２平面板４と側面板３の間の折り曲げ部となる仮想折目線ｖにも、図２に示される形状の多角形状の押罫部Ａと直線状の押罫部Ｂから構成される押罫部が形成されていることが好ましい。
【００２２】
図２に示すように、図１の底面側となる第１平面板２と側面板１の間、底面側となる第１平面板２と側面板３の間及び天面側となる第２平面板４と側面板３の間の折り曲げ部となる仮想折目線ｖに形成される押罫部は、多角形状の押罫部Ａと直線状の押罫部Ｂから構成される押罫部である。
多角形状の押罫部Ａは、広幅の六角形状中央押罫部ａと、該六角形状中央押罫部ａから前記仮想折目線ｖに沿って外方に延出する狭幅帯状突出部ｂとが連続押罫線によって一体に形成されている。
【００２３】
多角形状の押罫部Ａは、前記仮想折目線ｖの両側に、該仮想折目線から狭幅帯状突出部ｂを一段目とし、該狭幅帯状突出部ｂからさらに膨らんだ状態に形成されている広幅の六角形状中央押罫部ａを二段目とする階段状に形成されており、前記仮想折目線ｖ上に、前記直線状の押罫部Ｂを挟んで一定間隔を置いて配置されている。隣接する多角形状の押罫部Ａ間の間隔に特に制限はない。しかし、段ボール箱に収容する容器の幅に略等しいピッチ、すなわち、隣接する多角形状の押罫部Ａの前記仮想折目線上における中心部間の距離に略等しい間隔であることが好ましい。
【００２４】
多角形状の押罫部Ａにおける広幅の六角形状中央押罫部ａから連続して形成されている狭幅帯状突出部ｂの頭部は尖頭部となっていることが好ましい。
多角形状の押罫部Ａにおける広幅の六角形状中央押罫部ａの最大幅ｗ１は狭幅帯状突出部ｂの最大幅ｗ２の２倍〜５倍であることが好ましく、特に略４倍であることがより好ましい。ｗ１／ｗ２が２倍未満の場合、２段の階段状の多角形情の押罫Ａが段階的に潰れることによって奏されるクッション性が期待できず、潰れの発生が急激で収容容器にダメージを与えることが懸念されるし、側面板に無視できない規模の胴膨れが発生する場合がある。また、ｗ１／ｗ２が５倍を越えると、側面板の外観が悪くなるし、潰れによる高さ変位量が大きくなり過ぎて収容容器にダメージを与える結果となるので好ましくない。
【００２５】
図３は、図１のブランクシートから飲料ボトルＤを収容した状態で組み立てられ、封緘された状態の本発明のラップラウンド型段ボール箱の外観を示す図（ア）と、その内部の飲料ボトルＤの収容状態を示す模式図（イ）である。
図１のブランクシートから図３のラップラウンド型段ボール箱の組み立ては、図１のブランクシートの底面側となる第１平面板２に飲料ボトルＤ群を図１に示すように配置し、該飲料ボトル群を囲むように多角形状の押罫部Ａと直線状の押罫部Ｂからなる押罫部が形成されている一方の仮想折目線ｖ（図２参照）から側面板１を折り上げ、他方の仮想折目線ｖから側面板３を折り上げ、天面側平板４を飲料ボトルＤ群を囲むように折り曲げて糊代部５と天面側となる第２平面板４の側縁部を接合し、側面板１と側面板３の一方の端縁部の内フラップ１−５，３−５に底面側の平板２と天面側となる第２平面板４の一方の端縁部の外フラップ２−５，４−５を折り重ねて接合し、側面板１と側面板３の他方の端縁部の内フラップ１−６，３−６に底面側の平板２と天面側の平板４の他方の端縁部の外フラップ２−６，４−６を折り重ねて接合して図３の外観を呈するラップラウンド段ボール箱の組み立てが完了する。
【００２６】
容器Ｄを収容して組み立てられたラップラウンド段ボール箱の場合、保管場所や展示場所で段積された状態では最下段の段ボール箱の天面に大きな段積荷重がかかることとなるが、折り曲げ部に通常の押罫部が形成されている段ボール箱の場合は図４（ア）に示すように側面板が外方に膨らむ「胴膨れ」が発生することが多い。
【００２７】
段ボールブランクシートの折り曲げ部となる仮想折目線ｖに図１に示すような形状と配置状態の押罫部が形成されている本発明のラップラウンド段ボール箱の場合は、図４（イ）に示すように、側面板３と底面側となる第１平面板２の間の折り曲げ部に形成されている押罫部Ｒ３の多角形状の押罫部Ａにおける仮想折目線ｖから側面板３の面内に向かって２段の階段状に形成されている狭幅帯状突出部ｂと広幅の六角形状中央押罫部ａが広幅の六角形状中央押罫部ａから狭幅帯状突出部ｂへと順に段階的に潰れ、多角形状の押罫部間の直線状の押罫部Ｂにおいて潰れの進行は抑制されるので側面板３に胴膨れが発生することは防止される。
また、側面板３と天面側となる第２平面板４の間の折り曲げ部にも押罫部Ｒ３が形成されている場合は、この押罫部Ｒ３に発生する潰れも段積荷重による側面板３の変形防止に寄与することとなる。
【００２８】
図１のブランクシートとして、４００ｍｍ×２７０ｍｍ×２１０ｍｍ（Ｈ）のラップラウンド型段ボール箱用のブランクシートであって、押罫部Ｒ１〜Ｒ３の多角形状の押罫部Ａにおける両狭幅帯状突出部ｂの最大幅を２ｍｍ、長さを１０ｍｍとし、広幅の六角形状中央押罫部ａの最大幅を４ｍｍ、長さを３０ｍｍとすると共に、直線状の押罫部Ｂの長さを１６ｍｍとしたブランクシートを作成し、５００ｍｌ飲料プラスチックボトル２４本を収容して梱包質量１３．３ｋｇのラップラウンド型段ボール箱を組み立てた。
この段ボール箱を３段棒積みし、さらに最上段の段ボール箱上に錘を載せて積載荷重１２３ｋｇを負荷した。
上記のように３段棒積み下状態で、３０℃５０％ＲＨで１９時間予熱処理し、３０℃８０％ＲＨ環境下で７２時間静置後に、最下段の段ボール箱の前後左右の胴膨れ量と、３段分の高さ段積高さの変位を測定した。その結果、側面板１の胴膨れは８ｍｍ、高さ変位は１ｍｍで、側面板３の胴膨れは７ｍｍ、高さ変位は６ｍｍであり、目視による観察では最下段の段ボールの側面板に胴膨れが発生しているものと認識することはできなかった。
【産業上の利用可能性】
【００２９】
本発明の段ボール箱は、重量のある商品を収容して封緘した状態で多数段に積み重ねて長期間保管したり、高温多湿の環境下で積み重ねて保管したりすることが求められる飲料容器等の商品包装用の段ボール箱として極めて有用であり、特に、商品包装箱として、胴周りに不均一な変形が僅かでも発生することを嫌う商品の包装用として有用である。
【符号の説明】
【００３０】
１，３：側面板
２：第１平面板
４：第２平面板
５：糊代（継ぎ代）
１−５，１−６，３−５，３−６：内フラップ
２−５，２−６，４−５，４−６：外フラップ
Ａ：多角形状の押罫部
Ｂ：直線状押罫部
Ｈ：手穴
Ｌ：折目線
Ｐ：ピッチ
Ｙ：開封用の切り裂き帯
Ｘ：切り裂き口
ａ：広幅の六角形状中央押罫部
ｂ：狭幅帯状突出部
ｂ’：先鋭頭部
ｖ：仮想折目線
ｗ１：広幅の六角形状の押罫部の最大幅
ｗ２：狭幅帯状突出部ｂの最大幅
【図１】
2014104999.tif 000003
【図２】
2014104999.tif 000004
【図３】
2014104999.tif 000005
【図４】
2014104999.tif 000006